(57)【要約】【課題】落石予防工として、設計上許容できる大小の浮石や転石を対象とし、その浮石や転石が滑動や転落しないよう、その初期始動を止めるためのロープネット工であって、従来にはなかった他の形態のロープネット工の提供。【解決手段】傾斜面に所定間隔で複数設置又は埋設される中間部アンカー５と、各中間部アンカー５に形成される又は取り付けられる留め具と前記留め具によって中間部アンカー５に取り付けられる主線材３と、を備え、主線材３が、第１の方向Ｄ１に略平行に複数本設けられ且つ第１の方向と交差する第２の方向Ｄ２に略平行にも複数本設けられることにより、網状に構成され、第１の方向Ｄ１及び第２の方向Ｄ２が鉛直方向Ｇ対して傾いていることを特徴とする。【選択図】図１
2015121037.tif 000002
【特許請求の範囲】
【請求項１】
落石等の防止のために傾斜面に設置されるネット構造物であって、
傾斜面に所定間隔で複数設置又は埋設される固定具と、
前記各固定具に形成される又は取り付けられる留め具と
前記留め具によって前記固定具に取り付けられる主線材と、を備え、
前記主線材が、第１の方向に略平行に複数本設けられ且つ第１の方向と交差するように第２の方向に略平行に複数本設けられることにより、網状に構成され、前記第１の方向及び第２の方向が鉛直方向に対して傾いていることを特徴とするネット構造物。
【請求項２】
前記固定具の配列が、基準列と、当該基準列と同様の構成の中間列と、が配されることで構成されており、前記基準列が周期的に配され、当該基準列間において、１つ又は複数の前記中間列が、所定距離シフトして配置されることを特徴とする請求項１に記載のネット構造物。
【請求項３】
前記基準列において等間隔に前記固定具が配されており、当該固定具間と略同一の距離で前記基準列が周期的に配され、前記固定具間の半分が前記所定距離であり、前記基準列間に配される前記中間列が１つであることを特徴とする請求項２に記載のネット構造物。
【請求項４】
前記第１の方向及び第２の方向の鉛直方向に対する傾きを何れも約３５度〜約５５度とすることにより、落石に対する保持力としての負荷を、前記第１の方向の主線材と前記第２の方向の主線材にて分散・均等化することを特徴とする請求項１に記載のネット構造物。
【請求項５】
前記主線材又は前記固定具に、補助線材又は金網が取り付けられることを特徴とする請求項１乃至請求項４の何れか１つに記載のネット構造物。
【請求項６】
請求項１乃至請求項５の何れかに記載のネット構造物を傾斜面上に形成するための方法であって、前記固定具を設置又は埋設する位置を傾斜面上にマーキングする工程と、当該マーキング個所に前記各固定具を設置又は埋設する工程と、前記主線材を配置する工程と、当該主線材を前記固定具上の留め具に取り付ける工程と、を備えることを特徴とするネット構造物の形成方法。
【請求項７】
ネット構造物を形成する傾斜面において、略水平方向または略垂直方向に１列分の前記固定具の配置予定個所の位置出しをするのに適当な個所を選択する工程と、当該個所に１列又は１行分の前記マーキングを行う工程と、当該１列又は１行から順次隣の列又は行へとマーキングを行う工程と、を備えることを特徴とする請求項６に記載のネット構造物の形成方法。
【発明の詳細な説明】
【技術分野】
【０００１】
本発明は、斜面における落石の発生源対策として用いられるネット構造物及びその形成方法に関するものである。
【背景技術】
【０００２】
落石予防工として、設計上許容できる大小の浮石や転石を対象とし、その浮石や転石が滑動や転落しないよう、その初期始動を止めるためのロープネット工が知られている（特許文献１、２）。
【０００３】
ロープネット工は、斜面に沿って、格子状に配設された主ロープと、その主ロープの交差部分を斜面に固定するアンカーとからなる複数の格子ブロックを形成する工法である。ロープネット工によるネット構造物は、例えば、以下のようにして施工される。先ず、主ロープ及び補助ロープとして、同種のワイヤロープを準備し、端部アンカーや中間部アンカーとして、土中用アンカーや岩部用アンカーを準備し、接続金具として、十字アンカーグリップやクロスクリップを準備する。その後、複数の主ロープを縦横に斜面に沿わせて格子状に配設し、各主ロープの端部を端部アンカーで斜面に固定しかつ張設する。また、主ロープの交差部分に対応する斜面に中間部アンカーを打設し、主ロープの交差部分と中間部アンカーを十字アンカーグリップで接続することによって、主ロープを斜面に固定しかつ張設する。これにより、上述した複数の格子ブロックを形成する。また、主ロープ間の位置に補助ロープを配設し、この補助ロープと主ロープの交差部分をクロスクリップで接続する。
【先行技術文献】
【特許文献】
【０００４】
【特許文献１】特開平８−２６０４２３
【特許文献２】特開平１１−１９３５１０
【発明の概要】
【発明が解決しようとする課題】
【０００５】
従来のロープネット工は、図７に示されるごとく、基本的に水平方向の主ロープと、垂直方向の主ロープによって格子状のネットを構成するものしかなかった。しかし、落石などの防止のためにロープネットを施工する傾斜面は、通常は自然そのものの状態（若しくはこれに近い状態）であり、その起伏形状などはさまざまであるため、一通りの工法だけでは対応性に乏しく、オプションとしての他の形態のロープネット工が求められていた。
【０００６】
本発明は、上記の点に鑑み、落石予防工として、設計上許容できる大小の浮石や転石を対象とし、その浮石や転石が滑動や転落しないよう、その初期始動を止めるためのロープネット工であって、従来にはなかった他の形態のロープネット工を提供することを目的とする。
【課題を解決するための手段】
【０００７】
本発明に係る第１のネット構造物は、落石等の防止のために傾斜面に設置されるネット構造物であって、傾斜面に所定間隔で複数設置又は埋設される固定具と、前記各固定具に形成される又は取り付けられる留め具と前記留め具によって前記固定具に取り付けられる主線材と、を備え、前記主線材が、第１の方向に略平行に複数本設けられ且つ第１の方向と交差するように第２の方向に略平行に複数本設けられることにより、網状に構成され、前記第１の方向及び第２の方向が鉛直方向に対して傾いていることを特徴とする。なお、ここでいう「鉛直方向」とは、傾斜面における重力方向（傾斜面上で重力方向となす角が最も小さくなる方向）である。
【０００８】
本発明に係る第２のネット構造物は、第１のネット構造物であって、前記固定具の配列が、基準列と、当該基準列と同様の構成の中間列と、が配されることで構成されており、前記基準列が周期的に配され、当該基準列間において、１つ又は複数の前記中間列が、所定距離シフトして配置されることを特徴とする。なお、「基準列」とは、縦方向のものを示すものではなく、横方向や、前記第１の方向又は第２の方向に沿う方向などを含む概念であり、これらの方向に概ね一列に配置される固定具の列を示すものである（「列」という言葉によってその方向が例えば縦方向に限定されるものではない）。
【０００９】
本発明に係る第３のネット構造物は、第２のネット構造物であって、前記基準列において等間隔に前記固定具が配されており、当該固定具間と略同一の距離で前記基準列が周期的に配され、前記固定具間の半分が前記所定距離であり、前記基準列間に配される前記中間列が１つであることを特徴とする。
【００１０】
本発明に係る第４のネット構造物は、第１のネット構造物であって、前記第１の方向及び第２の方向の鉛直方向に対する傾きを何れも約３５度〜約５５度とすることにより、落石に対する保持力としての負荷を、前記第１の方向の主線材と前記第２の方向の主線材にて分散・均等化することを特徴とする。
【００１１】
本発明に係る第５のネット構造物は、第１乃至第４の何れか１つのネット構造物であって、前記主線材又は前記固定具に、補助線材又は金網が取り付けられることを特徴とする。
【００１２】
本発明に係る第１のネット構造物の形成方法は、第１乃至第５の何れかのネット構造物を傾斜面上に形成するための方法であって、前記固定具を設置又は埋設する位置を傾斜面上にマーキングする工程と、当該マーキング個所に前記各固定具を設置又は埋設する工程と、前記主線材を配置する工程と、当該主線材を前記固定具上の留め具に取り付ける工程と、を備えることを特徴とする。
【００１３】
本発明に係る第２のネット構造物の形成方法は、第１のネット構造物の形成方法であって、ネット構造物を形成する傾斜面において、略水平方向または略垂直方向に１列分の前記固定具の配置予定個所の位置出しをするのに適当な個所を選択する工程と、当該個所に１列又は１行分の前記マーキングを行う工程と、当該１列又は１行から順次隣の列又は行へとマーキングを行う工程と、を備えることを特徴とする。
【発明の効果】
【００１４】
本発明に係るネット構造物によれば、ロープネット工として、従来にはなかった構成（主ロープが鉛直方向に対して傾いて形成される）のものが提供されるため、自然の傾斜地に施工されるロープネット工として、管理対象傾斜地に適したものを選択できるようになる。
【図面の簡単な説明】
【００１５】
【図１】本発明の実施形態のネット構造物を示す平面図。
【図２】本発明の実施形態の別の態様のネット構造物を示す平面図。
【図３】本発明の実施形態の別の態様のネット構造物を示す平面図。
【図４】本発明の実施形態の別の態様のネット構造物を示す平面図。
【図５】本発明の実施形態の別の態様のネット構造物を示す平面図。
【図６ａ】本発明の実施形態のネット構造物の形成方法を順に説明するための図。
【図６ｂ】本発明の実施形態のネット構造物の形成方法を順に説明するための図。
【図６ｃ】本発明の実施形態のネット構造物の形成方法を順に説明するための図。
【図７】従来のネット構造物を示す平面図。
【発明を実施するための形態】
【００１６】
以下、本発明の実施態様について、図面を参照しながら具体的に説明する。なお、以下の実施態様は、本発明を具体化する際の一形態であって、本発明をその範囲内に限定するものではない。
【００１７】
図１は、本発明の実施形態のネット構造物を示す平面図である。なお、各図面において、主線材同士の交差部分を固定しかつ張設する中間部アンカー（固定具）を長円形の表示で示し、主線材の両端部分を傾斜面に固定しかつ張設する端部アンカーを四角形の表示で示している。なお、中間部アンカーと端部アンカーは、同一のものであっても構わない（中間部アンカーと端部アンカーを何れも固定具として考えるものであって構わない）。
【００１８】
先ず、本実施形態に係るネット構造物１の全体的な構成について説明する。
【００１９】
図１に示されるように、本実施形態のネット構造物１は、傾斜面に所定間隔で複数設置又は埋設される固定具である中間部アンカー５（及び端部アンカー４）と、中間部アンカー５（及び端部アンカー４）に取り付けられる主線材３と、を備え、主線材３が、第１の方向Ｄ１に略平行に複数本設けられ、且つ、第１の方向Ｄ１と交差する第２の方向Ｄ２に略平行に複数本設けられることにより、網状に構成される。本実施形態においては、第１の方向Ｄ１と第２の方向Ｄ２はほぼ直交しており、第１の方向Ｄ１及び第２の方向Ｄ２が鉛直方向Ｇ（傾斜面上で重力方向となす角が最も小さくなるベクトルの方向）に対して約４５度傾いて形成される。
【００２０】
固定具たる中間部アンカー５の配列は、基準列５１（ある方向に概ね一列に配置される中間部アンカー５の列であり、ここでは図１に示されるように略水平方向に概ね一列に配置される中間部アンカー５の列）と、これと同様の構成を備える中間列５２（基準列５１と同じように各中間部アンカー５間の間隔が定められているものであるが、基準列５１に対して所定距離ｘの分シフトして配置されることに伴い、端部においては基準例と異なる場合がある）とによって配置されるものであり、本実施形態においては、基準列５１が１列おきに周期的に配され、中間列５２は、当該各基準列５１の間に１列設けられている。
【００２１】
基準列５１は、中間部アンカー５が等間隔（距離Ｌ）に配置されており、各基準列５１の間隔が、これと同じ距離Ｌで周期的に配置される。即ち、隣り合う基準列５１の隣り合う中間部アンカー５は、正方形Ｓを形成しているものである（図１参照）。
【００２２】
本実施形態では、中間列５２は、基準列５１に対して所定距離ｘだけシフトして配置され、当該ｘは距離Ｌの１／２である。また、中間列５２は、隣り合う基準列５１のちょうど中間に配されるものであり、即ち基準列５１と中間列５２間の距離ｙは、ｘと同様に距離Ｌの１／２である。当該構成により、中間列５２の各中間部アンカー５は、隣り合う基準列５１の隣り合う中間部アンカー５（正方形Ｓ）の対角線上に配されることとなる。
【００２３】
なお、図示はしていないが、各中間部アンカー５には、これに予め形成される又は取り付けられる留め具が備えられており、当該留め具に対して主線材３が取り付けられることで、図１のごとく、網状のネット構造物１が形成されるものである。
【００２４】
次に、本実施形態のネット構造物１の各構成要素について具体的に説明する。
【００２５】
主線材３は、柔軟性に富み強度の高いワイヤロープが用いられる。ワイヤロープとしては、例えば、表面にめっき処理が施された７本の鋼鉄製素線からなるストランドを３本撚り合わせてなるタイプが挙げられるが、これに限定されるものではない。また、ワイヤロープは、その表面めっき層上に、傾斜面の周辺環境を考慮して、耐剥離性、耐外傷性、密着性、防錆特性をさらに高めるための表面塗装が施されたものであることが好ましい。このような表面塗装が施されると、ネット構造物の耐用年数をさらに長くすることができる。また、このワイヤロープとして、１２ｍｍ径のものが好適に用いられるが、これに限られるものではない。例えば、１４ｍｍ径、１６ｍｍ径、１８ｍｍ径のものを用いることができる。
【００２６】
中間部アンカー５（及び端部アンカー４）に使用されるアンカーとしては、岩部用アンカーであるセメントアンカーや樹脂アンカー、及び、土砂部用アンカーである打込アンカーが挙げられるが、これらに限定されるものではない。セメントアンカーは、岩部や土砂部に対しアンカーを打設する際に用いられるものであり、穿孔内にセメントを打設し、その養生後のセメントの周面摩擦抵抗力によってアンカーを固定するものである。このセメントアンカーは、引き抜き方向（傾斜面の表面に対して鉛直方向）及びせん断方向（傾斜面の面方向）に強い耐力を有し、そのセメントアンカーに対して引き抜き方向の大きな荷重が働いた場合でも、そのセメントアンカーが引き抜かれにくいため、ネット構造物１の安全性をさらに向上させることができる点で、傾斜面の岩部や土砂部に対して打設される中間部アンカー５（及び端部アンカー４）として好適に用いることができる。樹脂アンカーは、定着剤として樹脂を用いるものであり、セメントの周面摩擦抵抗力が得られにくい寒冷地では、上述したセメントアンカーに替えて、好適に用いることができる。この樹脂アンカーも、セメントアンカーと同様に、引き抜き方向及びせん断方向に強い耐力を有するものである。なお、樹脂としては、寒冷地において、アンカーの固定に必要な周面摩擦抵抗力が得られるものであれば、いかなる樹脂も用いることができ、寒冷地の環境に応じて、周知の樹脂を適宜選択して用いることができる。また、打込アンカーは、土砂部にアンカーを打設する際に用いられるものである。打込アンカーとしては、例えば、土砂部用アンカー装置やスウィングアンカーが挙げられる。傾斜面の土砂部の凹凸部（特に凹部）に端部アンカー４を打設する場合、上述のセメントアンカーと同様に、引き抜き方向及びせん断方向に強い耐力を有する土砂部用アンカー装置を用いることが好ましい。土砂部用アンカー装置としては、例えば、両端が開口した中空のアンカーパイプと、このアンカーパイプの内部を通過でき、且つアンカーパイプの下端部に係合可能な頭部を有するアンカーロッドと、アンカーパイプの地中からの引抜きを阻止する引抜き防止機構を備えたものがある。アンカーパイプは、その上端部を傾斜面の表面上に突出させた状態で傾斜面の土中に配設される。このアンカーパイプの上端部は、その上端部に取り付けられるピンボルトと傾斜面の表面との間において主線材３のワイヤロープが止められるようになっている。アンカーロッドは、その頭部を上にした状態でアンカーパイプ内に挿入され、そのアンカーロッドの頭部がアンカーパイプの下端部に係合され、アンカーパイプの下側の位置に配設される。この状態で、アンカーロッドは、凝固剤によって周囲が覆われて傾斜面の地中に定着される。引抜き防止機構は、アンカーパイプの下端部と、これに係合するアンカーロッドの頭部とから構成される。このようにして設置される土砂部用アンカー装置では、傾斜面に想定外の崩落が発生したとしても、アンカーパイプが、地中深くに定着されたアンカーロッドや引抜き防止機構によって、引抜きが阻止されるため、ネット構造物１の安全性をさらに向上させることができる。このような土砂部用アンカー装置は、端部アンカー４のうち少なくとも一つのアンカーとして用いられることが好ましい。なお、上述の土砂部用アンカー装置については、アンカーパイプとアンカーロッドと引抜き防止機構を備えたものを例示して説明したが、これに限定されるものではなく、上述のようなアンカーパイプを引抜き阻止方向に固定する構造を有するものであれば、どのようなものであってもよい。また、傾斜面の平坦な土砂部に端部アンカー４を打設する場合、上述のスウィングアンカーを用いることができる。平坦な土砂部では、アンカーに対して引き抜き方向の荷重が働きにくいため、上述の土砂部用アンカー装置を用いずとも、スウィングアンカーを用いることで、必要なせん断力を得ることができる。勿論、傾斜面の平坦な土砂部に上述の土砂部用アンカー装置を用いてもよい。施工時に平坦であっても、施工後に、想定外の集中豪雨等の天災による地盤沈下によって凹む場合がある。この場合、引き抜き方向にも強い耐力を有する上述の土砂部用アンカー装置を施工しておくことによって、その土砂部用アンカー装置に対して引き抜き方向の大きな荷重が働いた場合でも、その土砂部用アンカー装置が引き抜かれにくいため、実施の形態１によるネット構造物の安全性を担保することができる。なお、端部アンカー４に求められる必要な強度（引き抜き強度やせん断強度など）を得るために、そのアンカーを打設すべき傾斜面が岩部又は土砂部であるか、あるいは、傾斜面の土砂部の表面形状が凹凸又は平坦であるか等の諸条件を考慮して、アンカーの種類、組み合わせや打込み深さなどを適宜選択することが好ましい。
【００２７】
留め具（中間部アンカー５と主線材３を接続する金具）としては、例えば、十字アンカーグリップが挙げられる。十字アンカーグリップは、主線材３の交差部分を、これを斜めに横切る二枚の板状金具で挟み、これらをボルト締めして、当該交差部分をアンカーに接続するものである。また、端部アンカー４と主線材３を接続する留め具としては、例えば、巻付グリップが挙げられる。巻付グリップは、先端にリング部を有するグリップ部材を主線材３の端部に取り付け、リング部を端部アンカー４に嵌め、これを二枚の鋼鉄板で挟み、ボルト締めして接続するものである。
【００２８】
なお、本実施形態のネット構造物１には、図２に示されるように、ネット構造物１外周部分に主線材（又は補助線材）３１をさらに設けるようにしてもよい。
【００２９】
また、図３に示すように、各主線材３同士の間に、補助線材６を等間隔で配設するようにしてもよい。
【００３０】
補助線材６又は補助線材３１としては、主線材３に用いられるワイヤロープと同種のワイヤロープが用いられる。また、補助線材６同士の交差部分、主線材３との交差部分を接続する金具としては、例えば、十字グリップ、クロスクリップ、Ｖクリップが挙げられるが、これらに限定されるものではない。例えば、十字グリップは、当該交差部分を、これを斜めに横切る二枚の板状金具で挟み、これらをボルト締めして接続するものである。
【００３１】
また、図４に示すように、必要に応じて、金網７を取り付けるものであってもよい。この金網としては、例えば、網目がひし形等の形状のものや、厚ネット等の金網類が挙げられる。このような金網は、傾斜面に小さな浮石が既にある場合や、施工段階において、大きな石が砕けて小さな浮石や転石の発生が予測される場合など、比較的小さな浮石や転石の落下を防止するのに有効であり、また、大きな浮石を安定させる場合にも有効である。また、金網は、補助線材６の間に取り付けられてもよい。
【００３２】
次に、本実施形態のネット構造物１の形成方法について説明する。図６ａ〜ｃはネット構造物の形成方法を順に説明するための図である。
【００３３】
先ず、本実施形態のネット構造物１を形成する傾斜面において、略垂直方向（傾斜面上で重力方向となす角が最も小さくなる方向）または略水平方向（前記「垂直方向」と直交する方向）に１列分の中間部アンカー５（及び端部アンカー４）の配置予定個所の位置出しをするのに適当な場所を選択する。「位置出しをするのに適当」な場所とは、施工上、固定具の一列分の配置の位置出しをし易い場所（言い換えれば、位置出しが正確にできる場所）であり、傾斜面が全体的に平坦であれば基本的にどこでも構わないが、傾斜面に起伏があるような場合には、作業をし易い場所又は位置出しをし易い若しくは正確にできる場所を選択する。なお、“一列”とは先に説明した基準列５１や中間列５２と同じであってもよいが、これとは関係なく、ネット構造物１の中間部アンカー５（及び端部アンカー４）の内の、略垂直方向または略水平方向の任意の一列であってよい。ここでは、図６ｃに示されるように、略垂直方向の列５５が、“傾斜面において、中間部アンカー５（及び端部アンカー４）の一列分の配置の位置出しをするのに適当な場所”であったとして説明をする。なお、本実施形態では、中間部アンカー５と端部アンカー４を同時に“一列”として施工するものを例としているが、中間部アンカー５のみを下記方法にて施工（位置決め）し、端部アンカー４は別途位置決めするものであってもよい。
【００３４】
“傾斜面において、中間部アンカー５（及び端部アンカー４）の一列分の配置の位置出しをするのに適当な場所”を選択したら、当該選択した場所において、１列分のアンカーを設置する位置（列５５）を傾斜面上にマーキングする。当該マーキングは、例えばひもを張ることで直線を出し、当該直線上に所定間隔で傾斜面にマーキングをすることによって行う。次に、当該列５５を基準として、隣の列５６のマーキングを行う（図６ａ）。本実施形態においては、列５５と５６の間隔はｘ（Ｌの１／２。図１参照）であり、図１中の列５１と５２の間隔も同じくＬの１／２であるので、これに基づいて図６ａの列５５のマーキングを基準として、列５６のマーキングを行うものである（例えば、列５５を基準として距離ｘだけ離れた位置にひもを張り、列５５の各マーキングを基準として、距離ｙだけ下方にずらした位置に列５６の各マーキングを行う）。これにより、不規則な各傾斜面に対しての施工の品質を一定に保つことができる。これと同様に、隣の列を基準とした各列のマーキングを順に行っていくことで、全ての列（全てのアンカーの位置）のマーキングを行う。なお、マーキングする列の順序は問わない（列５５の右側の列を全てマーキングした後に左側を行うもの、若しくはその逆、又は、左右を順番に行うもの等であってよい）。
【００３５】
マーキングが終わったら、当該マーキング位置に、各中間部アンカー５及び端部アンカー４を打設する（図６ｂ）。なお、全てのマーキングが終わる前に、マーキングされた個所からアンカーを打設していくもの（平行作業）であっても構わない。
【００３６】
次に、主線材３を図１のごとく第１の方向Ｄ１と第２の方向Ｄ２に沿う方向にそれぞれ配設し（本実施形態では鉛直方向Ｇに対してそれぞれ約４５度の傾きとなる）、この主線材３の端部に端部アンカー４を接続し（留め具に取り付ける）、主線材３同士の交差部分に中間部アンカー５を接続する（留め具に取り付ける）ことによって、主線材３を傾斜面に固定しかつ張設する。これによって、ネット構造体１を形成するものである（図６ｃ）。
【００３７】
なお、中間部アンカー５間の距離Ｌ（＝各基準列５１の間隔）は、例えば、２ｍや３ｍで形成する。従来のロープネット（図７）の標準的なものは、格子が２ｍ間隔で形成されるもの（一つの格子の面積が４ｍ２）であり、これと比較すると、Ｌを２ｍとした場合、ネット構造物１のネットを構成する一つひし形の面積は２ｍ２であり、よって、格子を２ｍ間隔とした従来のロープネットの２倍の強度となる。Ｌを３ｍとした場合、ネット構造物１のネットを構成する一つひし形の面積は４．５ｍ２であり、よって、格子を２ｍ間隔とした従来のロープネットの約０．９倍の強度となる。
【００３８】
以上のごとく、本実施形態のネット構造物１によれば、ロープネット工として、従来にはなかった構成（主ロープが鉛直方向に対して傾いて形成される）のものが提供されるため、自然の傾斜地に施工されるロープネット工として、管理対象傾斜地に適したものを選択できるようになる。
【００３９】
また、本実施形態のネット構造物１では、固定具たる中間部アンカー５の配列が、基準列５１と、これと同様の構成の列である中間列５２と、が繰り返し配されることで構成されているため、マーキング工程等においてその作業が簡便となる効果も得られる。即ち、「中間部アンカー５の配列が、基準列５１と同様の構成の列である中間列５２とが配されることで構成」されることにより、マーキングしていく各列は「同様の構成」となるため、マーキングの基準となるひも張り等において、各中間部アンカー５の位置を記したひもを使いまわしていくことで、正確且つ簡便に「同様の構成」の列を配していけるものである（ただし、施工対象である傾斜面の起伏の状況などに左右される）。
【００４０】
また、本実施形態のネット構造物１によれば、主線材が鉛直方向に対して傾いて形成されるため、負荷分散として優れる面を有する。即ち、図７のような従来のロープネットの場合、縦方向の主線材は、垂直方向に落下しようとしている石に対する保持力を基本的に有せず、当該保持力は基本的に水平方向の主線材が担うものである。これに対し、本実施形態のネット構造物１では、何れの主線材も鉛直方向に対して傾いて形成されているため、それぞれが垂直方向に落下しようとしている石に対する保持力を有する（負荷分散される）ものである。本実施形態においては、傾斜角度を約４５度としているため、当該負荷分散機能が最大限発揮される（第１の方向（Ｄ１）の主線材３と、第２の方向（Ｄ２）の主線材３との間にて負荷が分散・均等化される）ものとなる。なお、実際の傾斜面においてはその起伏形状がさまざまであるため、全ての主線材を約４５度に設置することは困難な場合があり、また適当ではない場合もあり得る（起伏の状況等によっては、４５度でない方がより負荷分散機能が発揮される場合もあり得る）。従って、基本的には、負荷分散機能が最大限発揮される傾斜角度は約４５度であるが、実際の傾斜面においては約３５度〜約５５度の範囲で設置されることにより、負荷分散機能が良好に発揮される。なお、前述のごとく、主線材等の設置条件は、傾斜面の起伏形状等に左右されるものであり、起伏が非常に激しいような場合には、前記約３５度〜約５５度の範囲に限られず、当該傾斜面に対して適切な傾きとなるように設置されることが好ましい。
【００４１】
なお、本実施形態では、鉛直方向Ｇに対して略直交する方向のものを「基準列５１」としているものを例としているが、「基準列」がこの方向のものに限られることを示すものではなく、鉛直方向や、第１の方向又は第２の方向に沿う方向などであってもよく、これらの方向に概ね一列に配置される中間部アンカー５の列を「基準列」としてよい。
【００４２】
また、本実施形態では、基準列５１の間に中間列５２が１つ配置されるものを例としているが、中間列５２が複数配置されるものであってもよい。図５にその例示として、中間列５２を基準列５１の間に２列配したものを示した。中間列５２ａは、基準列５１と同様の構成であり、基準列５１に対してｘ（中間部アンカー５間の距離Ｌの１／３）だけシフトして配される。中間列５２ｂも同様に基準列５１と同様の構成であり、中間列５２ａに対してさらにｘだけシフトして配される。また、中間列５２ａと中間列５２ｂは、基準列５１の間に均等に配置される（即ち距離ｙは、基準列５１の間の間隔の１／３となる）。このように、基準列間に配される中間列のシフト量であるｘや、列間の間隔ｙを、基準列間に配される中間列の数によって定める（均等となるように、配置する）と、周期的な配置となるものである。
【００４３】
本実施形態においては、ネット構造物１の形成方法について、“傾斜面において、中間部アンカー５（及び端部アンカー４）の一列分の配置の位置出しをするのに適当な場所”を選択した場所において、１列分の中間部アンカー５（及び端部アンカー４）を設置する位置（列５５）を傾斜面上にマーキングした後、適宜隣の列のマーキングを行うものを例として説明したが、基準列５１とマーキング列が同じ場合には、基準列を先に順次マーキング（隣り合う基準列を順次マーキング）して、その後に基準列間に配される中間列のマーキングを行うようにしてもよい。
【００４４】
また、本実施形態では、基準列が周期的に表れるものについて説明したが、これに限るものではなく、例えば、基準列が一列のみとなるものであっても構わない。（必ずしも、周期的な配置でなければならない訳ではない。もっとも、周期的な配置とした方が、一般に設計上または施工上において有利な場合が多いと考えられる。）
【００４５】
本実施形態では、中間部アンカー５が等間隔に配されているものを例として説明しているが、本発明をこれに限るものではない。例えば、ネット構造物を施工する傾斜面において、必要とされる強度が異なるような場合には、当該必要とされる強度を満たすように中間部アンカー５を配置する（間隔にばらつきがある）ものであってもよい。ただし、一般に、等間隔である方が設計上または施工上において有利な場合が多いと考えられる。
【符号の説明】
【００４６】
１    ネット構造物
３    主線材
５    中間部アンカー（固定具）
６    補助線材
７    金網
５１  基準列
５２  中間列
Ｄ１  第１の方向
Ｄ２  第２の方向
Ｇ    鉛直方向
【図１】
2015121037.tif 000003
【図２】
2015121037.tif 000004
【図３】
2015121037.tif 000005
【図４】
2015121037.tif 000006
【図５】
2015121037.tif 000007
【図６ａ】
2015121037.tif 000008
【図６ｂ】
2015121037.tif 000009
【図６ｃ】
2015121037.tif 000010
【図７】
2015121037.tif 000011